(57)【要約】      （修正有）【課題】速やかに着脱でき操作に便利で強固なコンピュータの側面板の着脱装置の提供。【解決手段】コンピュータのケース側辺の側面板に取り付けられ、側面板の底端はコンピュータのケースに嵌挿され、上端はプルロッドを利用して係止或いは取り外し可能とされ、内部設備の取り付け或いは修理及びコンピュータの保護に便利なコンピュータの側面板の着脱装置において、コンピュータのケースの上方に前後にスライドするプルロッドが設けられ、プルロッドに複数のフックが設けられ、且つ側面板の内面下方に挟持部が設けられ、上方及び二側辺に位置決め柱及び凸條が設けられ、位置決め柱及び凸條が位置決めを形成し、並びに上方の凸條に複数の係止溝が開設され、使用時には、前後にプルロッドを滑らせるクイックネジによりフックを係止溝内に滑り込ませ、更にクイックネジによりコンピュータケースに固定し、使用に十分に便利とされている。【選択図】図２
0003106717.tif 000002
【実用新案登録請求の範囲】
【請求項１】
コンピュータのケース側辺の側面板に取り付けられ、該側面板の底端がコンピュータのケースに嵌挿され、上端がプルロッドにより係止或いは分離可能とされ、内部設備の組付け或いは修理に便利で及びコンピュータの保護に便利な機能を有するコンピュータの側面板の着脱装置において、
該プルロッドは扁平長棒状とされ、その側面に外向きに複数のフックが設けられ、該プルロッドがコンピュータのケースの上板内に設置され且つその後端が後側板の外に突出し、プルロッドを引っ張って前後に移動させることが可能であり、
該側面板は内側面下方の水平方向に複数の開口が下向きの挟持部が取り付けられ、コンピュータのケースの下端の折辺に嵌挿され、内側面上方に水平に凸條が設置され、該凸條にプルロッド側面のフックに対応する複数の係止溝が開設され、
組合せて使用する時、側面板の底端の挟持部がコンピュータのケースの下端の折辺に挿入され、後側板より露出したプルロッド部分によりプルロッドを操作して移動させてそのフックを係止溝に係合させ並びに凸條の内壁面に係止させ係止固定を達成し、反対の場合も側面板を速やかに取り外すことができることを特徴とする、コンピュータの側面板の着脱装置。
【請求項２】
請求項１記載のコンピュータの側面板の着脱装置において、プルロッドの後端がネジでプルレバーに接続され、該プルレバーがコンピュータのケースの後側板の外に露出し、且つプルレバーにクイックネジが枢設され、別にコンピュータのケースの後側板のクイックネジに対応する位置に固定孔が設けられ、使用時に、クイックネジを握持してプルロッドを前後に移動させることができ、またクイックネジにより側面板を組付け後にプルロッドをコンピュータのケースの後側板に固定して脱落を防止できることを特徴とする、コンピュータのケース。
【請求項３】
請求項２記載のコンピュータの側面板の着脱装置において、プルレバーは固定孔によりコンピュータのケースの固定部と結合された後に、固定手段により固定され、盗難防止を達成することを特徴とする、コンピュータのケース。
【請求項４】
請求項１記載のコンピュータの側面板の着脱装置において、側面板の凸條の上方に複数の位置決め柱が固定され、且つコンピュータのケースの折辺側面に該位置決め柱の位置に対応する複数の位置決め孔が設けられたことを特徴とする、コンピュータの側面板の着脱装置。
【請求項５】
請求項１記載のコンピュータの側面板の着脱装置において、側面板の周囲に鋸歯状の防滑構造が設けられたことを特徴とする、コンピュータの側面板の着脱装置。
【請求項６】
請求項１記載のコンピュータの側面板の着脱装置において、コンピュータのケースの内部の上端前端及び後端にプルロッドの通過に供される貫通孔が設けられてプルロッドが前後のスライド可能で脱落しないものとされたことを特徴とする、コンピュータの側面板の着脱装置。
【考案の詳細な説明】
【技術分野】
【０００１】
本考案は一種のコンピュータの側面板の着脱装置に係り、特に、コンピュータのケースの側辺の側面板に取り付けられ、該側面板の底端がコンピュータのケースに嵌挿され、上端がプルロッドを利用して係止或いは分離可能とされ、内部設備の取り付けと修理及びコンピュータの保護に便利であるコンピュータの側面板の着脱装置に関する。
【背景技術】
【０００２】
一般に直立式コンピュータに使用されているケースには、美観性と組立に便利であるよう、各種の異なる組合せ方式が採用され、例えば、内部のフレームと外部のケースの組合せ方式、内部のフレームと二つの側面板の組合せ方式、更には固定式ケースと後方に引く方式のフレームの組合せ方式等がある。それらはそれぞれ独創性と長所を有しているが、一般に市販されて最も普及しているのは、内部フレームと二つの側面板の組合せ方式である。
【０００３】
図１を参照されたい。この周知のコンピュータのケースは、二つの側面板ａの内側面の上端と下端に前向き内向きに突出するフックａ１が設けられ、並びにコンピュータのケースのフレームｂの上端と下端に該フックａ１に対応するよう係止溝ｂ１が開設され、且つ側面板ａの前端に前向き開口を具えた挟持部ａ２が設けられ、フレームｂの前端の折辺ｂ２を挟持し、並びに側面板ａの後端が内向きに折り曲げられて固定板が形成され、該固定板が複数のネジ孔を具えている。側面板ａを組み付ける時は、先ず側面板ａを内向きに圧入してフックａ１を係止溝ｂ１内に挿入し、さらにそれを前向きにスライドさせて側面板ａ前端の挟持部ａ２にフレームｂ前端の折辺ｂ２を挟持させ、後方の固定板をフレームｂの後端に接合させ、ネジｃでそれをコンピュータのケースに固定すれば組立が完成する。このような構造は再度組み立てる時、側面板ａの側辺のフックａ１を順序よく係止溝ｂ１内に挿入できず、全体の側面板ａの一端が突出したり、側面板ａの前端の挟持部ａ２と前方面板間にギャップが発生し、全体の美観性が低くなることがある。且つ側面板ａを取り扱う時、側面板ａの側端が美観性のために平滑に保持されているため、フックａ１により怪我をしやすい。
【考案の開示】
【考案が解決しようとする課題】
【０００４】
本考案は従来の構造の欠点を鑑み、特に側面板の開閉構造に対して改良を行ない、速やかに着脱でき且つ操作に便利とし、その固定の効果を良好とし、且つ側面板周囲に鋸歯状の防滑構造を設けて、表面の滑らかな凸條により使用者が操作時に傷つく危険を防止する。
【０００５】
即ち、本考案の主要な目的は、速やかに着脱でき操作に便利で強固な側面板着脱装置を提供することにある。
【０００６】
本考案の次の目的は、操作時に滑り落ちて不必要な損傷を形成することのない側面板装置を提供することにある。
【課題を解決するための手段】
【０００７】
請求項１の考案は、コンピュータのケース側辺の側面板に取り付けられ、該側面板の底端がコンピュータのケースに嵌挿され、上端がプルロッドにより係止或いは分離可能とされ、内部設備の組付け或いは修理に便利で及びコンピュータの保護に便利な機能を有するコンピュータの側面板の着脱装置において、
該プルロッドは扁平長棒状とされ、その側面に外向きに複数のフックが設けられ、該プルロッドがコンピュータのケースの上板内に設置され且つその後端が後側板の外に突出し、プルロッドを引っ張って前後に移動させることが可能であり、
該側面板は内側面下方の水平方向に複数の開口が下向きの挟持部が取り付けられ、コンピュータのケースの下端の折辺に嵌挿され、内側面上方に水平に凸條が設置され、該凸條にプルロッド側面のフックに対応する複数の係止溝が開設され、
組合せて使用する時、側面板の底端の挟持部がコンピュータのケースの下端の折辺に挿入され、後側板より露出したプルロッド部分によりプルロッドを操作して移動させてそのフックを係止溝に係合させ並びに凸條の内壁面に係止させ係止固定を達成し、反対の場合も側面板を速やかに取り外すことができることを特徴とする、コンピュータの側面板の着脱装置としている。
請求項２の考案は、請求項１記載のコンピュータの側面板の着脱装置において、プルロッドの後端がネジでプルレバーに接続され、該プルレバーがコンピュータのケースの後側板の外に露出し、且つプルレバーにクイックネジが枢設され、別にコンピュータのケースの後側板のクイックネジに対応する位置に固定孔が設けられ、使用時に、クイックネジを握持してプルロッドを前後に移動させることができ、またクイックネジにより側面板を組付け後にプルロッドをコンピュータのケースの後側板に固定して脱落を防止できることを特徴とする、コンピュータのケースとしている。
請求項３の考案は、請求項２記載のコンピュータの側面板の着脱装置において、プルレバーは固定孔によりコンピュータのケースの固定部と結合された後に、固定手段により固定され、盗難防止を達成することを特徴とする、コンピュータのケースとしている。
請求項４の考案は、請求項１記載のコンピュータの側面板の着脱装置において、側面板の凸條の上方に複数の位置決め柱が固定され、且つコンピュータのケースの折辺側面に該位置決め柱の位置に対応する複数の位置決め孔が設けられたことを特徴とする、コンピュータの側面板の着脱装置としている。
請求項５の考案は、請求項１記載のコンピュータの側面板の着脱装置において、側面板の周囲に鋸歯状の防滑構造が設けられたことを特徴とする、コンピュータの側面板の着脱装置としている。
請求項６の考案は、請求項１記載のコンピュータの側面板の着脱装置において、コンピュータのケースの内部の上端前端及び後端にプルロッドの通過に供される貫通孔が設けられてプルロッドが前後のスライド可能で脱落しないものとされたことを特徴とする、コンピュータの側面板の着脱装置としている。
【考案の効果】
【０００８】
本考案のコンピュータの側面板の着脱装置は、コンピュータのケースに取り付けられて前後にスライド可能なプルレバーのフックと側面板の位置決め柱、凸條及び係止溝の組合せにより、確実に操作に便利な機能を達成し、且つ側面板が強固にコンピュータのケースに固定され、側面板の周囲の鋸歯状の防滑構造により操作時の脱落による不必要な損傷を防止でき、ゆえに本考案は実用性、進歩性を具えている。
【考案を実施するための最良の形態】
【０００９】
本考案はコンピュータの側面板の着脱装置を提供し、それは、コンピュータのケースに取り付けられたプルロッドと側面板に取り付けられた係止溝で構成され、該プルロッドの側面に複数のフックが設けられ、且つフックの上方にスライド部が設けられてコンピュータのケースの滑り溝内に挟み合わされ、該滑り溝の後方に複数対のガイドシートが設けられ、並びにプルロッドの後方にプルレバーが螺子止めされ、後側板の外に露出し、且つ該プルレバーにクイックネジが枢設され、別に後側板のクイックネジに対応する位置にネジ孔が設けられ、側面板の周囲の鋸歯状の防滑構造が設けられ、並びに側面板の内面下方に複数の開口が下向きの挟持部が設けられ、上方及び左右二側に複数の位置決め柱及び凸條が設けられ、そのうち上方の凸條側辺に複数の係止溝が開設され、且つその位置決め柱がコンピュータのケースの位置決め孔に対応して挿入され、二側の凸條の距離がコンピュータのケースの側面開口の幅に対応する。
【００１０】
以上の構造によりコンピュータのケースの側面板を組付ける時は、先ず側面板内側面下方の挟持部をコンピュータのケース下方の折辺で挟み合わせ、続いて位置決め柱と二側の凸條をそれぞれコンピュータのケースの位置決め孔と側面開口部分に対応させ挿入し。使用時には、クイックネジを握持してプルロッドを操作して前後に移動させ、プルロッドのフックを凸條の係止溝内に係合させ、クイックネジにより側面板組付け後にプルロッドをコンピュータの後側板に螺子止めして脱落防止し、操作に便利で、側面板を強固にコンピュータのケースに固定できる。且つ側面板の周囲に鋸歯状の防滑構造が設けられて操作時の脱落による不必要な損傷が防止される。
【実施例１】
【００１１】
図２、３に示されるように、本考案のコンピュータの側面板の着脱装置は、コンピュータのケース１に設けられたプルロッド１０と側面板２０で組成されている。
【００１２】
該プルロッド１０は、扁平長棒状とされ、その側面に複数のフック１１が設けられ、図４、５に示されるように、フック１１の上方にスライド部１２が設けられ、コンピュータのケース１の複数対のガイドシート１ａ内に取り付けられ、該ガイドシート１ａは滑り溝１ａ１を形成し、プルロッド１０がコンピュータのケース１の滑り溝１ａ１内で前後にスライドする時に左右にぐらつきを形成させず、コンピュータのケース１の滑り溝１ａ１の前後に複数の位置決め孔１ｂが設けられ、そのうち、プルロッド１０はその後端にネジでプルレバー１３が接続され、プルレバー１３はコンピュータのケース１の後側板外に露出し、且つ該プルレバー１３にクイックネジ１３ａ及び固定孔１３ｂが設けられている。また、後側板のクイックネジ１３ａに対応する位置にネジ孔が設けられている。使用時には、クイックネジ１３ａを握持してプルロッド１０を操作し前後に移動させ、クイックネジ１３ａにより側面板２０の組付けを完成した後、プルロッド１０をコンピュータのケース１の後側板に螺子止めして脱落防止する。
【００１３】
該側面板２０は、図６、７に示されるように、周囲の鋸歯状の防滑構造２１が設けられ、側面板２０の内側面下方の水平方向に複数の開口が下向きの挟持部２２が取り付けられ、側面板２０の内側面上方及び左右二側に複数の位置決め柱２３と凸條２４があり、上方の水平方向に取り付けられた凸條２４の内向きの側辺に複数の係止溝２４ａが開設され、且つ位置決め柱２３がコンピュータのケース１の位置決め孔１ｂに対応し、二側の凸條２４の距離はコンピュータのケース１の側面開口１ｃの幅に対応する。
【００１４】
以上の構造により、本実施例では、コンピュータのケース内部の上端前端及び後端に貫通孔１４が設けられてプルロッド１０が通され、プルロッド１０が前後にスライド自在で脱落しないものとされている。
【００１５】
図４、図８、図９に示されるように、コンピュータのケース１に側面板２０を組み付ける時は、先ず側面板２０の挟持部２２をコンピュータのケース１下端の折辺１ｄに挟持させ、続いて位置決め柱２３と二側の凸條２４をコンピュータのケース１の位置決め孔１ｂと側面開口１ｃに対応させ挿入し、コンピュータのケース１のプルロッド１０のフック１１を側面板２０上方の凸條２４の係止溝２４ａに対応させ挿入し、更にプルロッド１０前向きにスライドさせてフック１１を順調に係止溝２４ａ内に係合させ、並びにプルロッド１０の後方のプルレバー１３部分のクイックネジ１３ａをコンピュータのケース１に螺合固定する。また、コンピュータのケース１にコンピュータのケース１より突出する固定部１ｅが設けられて、該固定部１ｅがプルレバーの固定孔１３ｂ内に挿入された後に固定手段で固定され、盗難防止の目的が達成される。
【図面の簡単な説明】
【００１６】
【図１】周知の技術の立体構造図である。
【図２】本考案の立体分解図である。
【図３】本考案の立体組合せ図である。
【図４】本考案のプルロッドとガイドシートの結合部分の局部拡大図である。
【図５】本考案のプルロッドとガイドシートの結合部分の断面図である。
【図６】本考案の側面板側端の防滑構造の拡大図である。
【図７】本考案の側面板側端の防滑構造の平面図である。
【図８】本考案の側面板とコンピュータのケースの結合の表示図である。
【図９】本考案の側面板とコンピュータのケースの結合のもう一つの表示図である。
【符号の説明】
【００１７】
１  コンピュータのケース          １ａ  ガイドシート
１ａ１  滑り溝                    １ｂ  位置決め孔
１ｃ  開口                        １ｄ  折辺
１ｅ  固定部                      １０  プルロッド
１１  フック                      １２  スライド部
１３  プルレバー                  １３ａ  クイックネジ
１３ｂ  固定孔                    １４  貫通孔
２０  側面板                      ２１  防滑構造
２２  挟持部                      ２３  位置決め柱
２４  凸條                        ２４ａ  係止溝
【図１】
0003106717.tif 000003
【図２】
0003106717.tif 000004
【図３】
0003106717.tif 000005
【図４】
0003106717.tif 000006
【図５】
0003106717.tif 000007
【図６】
0003106717.tif 000008
【図７】
0003106717.tif 000009
【図８】
0003106717.tif 000010
【図９】
0003106717.tif 000011